(57)【要約】【課題】  処理対象のメモリ内蔵シートのメモリからメモリ情報を正確かつ効率良く読み取ることができる情報読み取り装置、情報出力装置および情報読み取り方法を提供することを目的とする。【解決手段】  コンタクトガラス面１２０のメモリ内蔵シート１００を走査して、メモリ内蔵シート１００から画像情報を読み取るスキャナ手段２と、メモリ内蔵シート１００のメモリ１１０の位置を検出すると共に、メモリ１１０からメモリ情報を読み取るリーダ手段４４とを有し、スキャナ手段２とリーダ手段４４とは一体に設けられ、１回目の走査時にメモリ内蔵シートから画像情報を読み取ると共に、メモリ１１０の位置を検出し、２回目の走査時にメモリ１１０の位置に停止してメモリ１１０からメモリ情報を読み取ることにより上記課題を解決する。【選択図】  図４
2005348293.tif 000002
【特許請求の範囲】
【請求項１】
メモリ内蔵シートから情報を読み取る情報読み取り装置であって、
コンタクトガラス面に置かれたメモリ内蔵シートを走査して、前記メモリ内蔵シートから画像情報を読み取るスキャナ手段と、
前記メモリ内蔵シートのメモリの位置を検出すると共に、前記メモリ内蔵シートのメモリからメモリ情報を読み取るリーダ手段とを有し、
前記スキャナ手段とリーダ手段とは一体に設けられ、前記メモリ内蔵シートの１回目の走査時に前記スキャナ手段が前記メモリ内蔵シートから画像情報を読み取ると共に、前記リーダ手段が前記メモリ内蔵シートのメモリの位置を検出し、
前記メモリ内蔵シートの２回目の走査時に前記リーダ手段が前記メモリ内蔵シートのメモリの位置に停止して前記メモリ内蔵シートのメモリからメモリ情報を読み取ることを特徴とする情報読み取り装置。
【請求項２】
メモリ内蔵シートから情報を読み取る情報読み取り装置であって、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの１回目の給紙時に前記スキャナ手段が前記メモリ内蔵シートから画像情報を読み取ると共に、前記リーダ手段が前記メモリ内蔵シートのメモリの位置を検出し、
前記メモリ内蔵シートの２回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする情報読み取り装置。
【請求項３】
メモリ内蔵シートから情報を読み取る情報読み取り装置であって、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの１回目の給紙時に前記スキャナ手段が前記メモリ内蔵シートの表面から画像情報を読み取ると共に、前記リーダ手段が前記メモリ内蔵シートのメモリの位置を検出し、
前記メモリ内蔵シートの２回目の給紙時に前記スキャナ手段が前記メモリ内蔵シートの裏面から画像情報を読み取り、
前記メモリ内蔵シートの３回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする情報読み取り装置。
【請求項４】
メモリ内蔵シートから情報を読み取る情報読み取り装置であって、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの給紙時に前記スキャナ手段が前記メモリ内蔵シートから画像情報を読み取ると共に、前記リーダ手段が前記メモリ内蔵シートのメモリの位置を検出し、
前記メモリ内蔵シートの排紙時に前記リーダ手段が前記メモリ内蔵シートのメモリの位置に停止して前記メモリ内蔵シートのメモリからメモリ情報を読み取ることを特徴とする情報読み取り装置。
【請求項５】
前記リーダ手段は、前記コンタクトガラス面に置かれたメモリ内蔵シートまたは前記原稿給紙手段から給紙されたメモリ内蔵シートのメモリからメモリ情報を読み取るのに必要最低限の電波強度により前記メモリ内蔵シートのメモリからメモリ情報を読み取ることを特徴とする請求項１乃至４何れか一項記載の情報読み取り装置。
【請求項６】
前記リーダ手段は、前記メモリ内蔵シートのメモリの位置を検出しなかったとき、又は前記メモリ内蔵シートのメモリの位置を複数検出したときに、前記メモリ内蔵シートのメモリからメモリ情報を読み取る処理を停止することを特徴とする請求項１乃至５何れか一項記載の情報読み取り装置。
【請求項７】
前記リーダ手段は、前記メモリ内蔵シートのメモリの位置を複数検出したとき、ユーザの識別子との認証のとれる前記メモリ内蔵シートのメモリの位置が１つであれば、そのメモリ内蔵シートのメモリからメモリ情報を読み取ることを特徴とする請求項１乃至５何れか一項記載の情報読み取り装置。
【請求項８】
前記リーダ手段は、前記メモリ内蔵シートの無線タグの位置を検出すると共に、前記無線タグからメモリ情報を読み取ることを特徴とする請求項１乃至７何れか一項記載の情報読み取り装置。
【請求項９】
メモリ内蔵シートから情報を読み取る情報読み取り装置を備え、前記メモリ内蔵シートから読み取った情報に基づく内容を出力する情報出力装置であって、
前記情報読み取り装置は、
コンタクトガラス面に置かれたメモリ内蔵シートを走査して、前記メモリ内蔵シートから画像情報を読み取るスキャナ手段と、
前記メモリ内蔵シートのメモリの位置を検出すると共に、前記メモリ内蔵シートのメモリからメモリ情報を読み取るリーダ手段とを有し、
前記スキャナ手段とリーダ手段とは一体に設けられ、前記メモリ内蔵シートの１回目の走査時に前記スキャナ手段が前記メモリ内蔵シートから画像情報を読み取ると共に、前記リーダ手段が前記メモリ内蔵シートのメモリの位置を検出し、
前記メモリ内蔵シートの２回目の走査時に前記リーダ手段が前記メモリ内蔵シートのメモリの位置に停止して前記メモリ内蔵シートのメモリからメモリ情報を読み取ることを特徴とする情報出力装置。
【請求項１０】
メモリ内蔵シートから情報を読み取る情報読み取り装置を備え、前記メモリ内蔵シートから読み取った情報に基づく内容を出力する情報出力装置であって、
前記情報読み取り装置は、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの１回目の給紙時に前記スキャナ手段が前記メモリ内蔵シートから画像情報を読み取ると共に、前記リーダ手段が前記メモリ内蔵シートのメモリの位置を検出し、
前記メモリ内蔵シートの２回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする情報出力装置。
【請求項１１】
メモリ内蔵シートから情報を読み取る情報読み取り装置を備え、前記メモリ内蔵シートから読み取った情報に基づく内容を出力する情報出力装置であって、
前記情報読み取り装置は、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの１回目の給紙時に前記スキャナ手段が前記メモリ内蔵シートの表面から画像情報を読み取ると共に、前記リーダ手段が前記メモリ内蔵シートのメモリの位置を検出し、
前記メモリ内蔵シートの２回目の給紙時に前記スキャナ手段が前記メモリ内蔵シートの裏面から画像情報を読み取り、
前記メモリ内蔵シートの３回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする情報出力装置。
【請求項１２】
メモリ内蔵シートから情報を読み取る情報読み取り装置を備え、前記メモリ内蔵シートから読み取った情報に基づく内容を出力する情報出力装置であって、
前記情報読み取り装置は、
セットされた１枚以上のメモリ内蔵シートを一枚ずつ給紙する原稿給紙手段と、
給紙されたメモリ内蔵シートを走査して、前記メモリ内蔵シートから画像情報を読み取るスキャナ手段と、
給紙されたメモリ内蔵シートのメモリの位置を検出すると共に、前記メモリ内蔵シートのメモリからメモリ情報を読み取るリーダ手段とを有し、
前記メモリ内蔵シートの給紙時に前記スキャナ手段が前記メモリ内蔵シートから画像情報を読み取ると共に、前記リーダ手段が前記メモリ内蔵シートのメモリの位置を検出し、
前記メモリ内蔵シートの排紙時に前記リーダ手段が前記メモリ内蔵シートのメモリの位置に停止して前記メモリ内蔵シートのメモリからメモリ情報を読み取ることを特徴とする情報出力装置。
【請求項１３】
前記リーダ手段は、前記コンタクトガラス面に置かれたメモリ内蔵シートまたは前記原稿給紙手段から給紙されたメモリ内蔵シートのメモリからメモリ情報を読み取るのに必要最低限の電波強度により前記メモリ内蔵シートのメモリからメモリ情報を読み取ることを特徴とする請求項９乃至１２何れか一項記載の情報出力装置。
【請求項１４】
前記リーダ手段は、前記メモリ内蔵シートのメモリの位置を検出しなかったとき、又は前記メモリ内蔵シートのメモリの位置を複数検出したときに、前記メモリ内蔵シートのメモリからメモリ情報を読み取る処理を停止することを特徴とする請求項９乃至１３何れか一項記載の情報出力装置。
【請求項１５】
前記メモリ内蔵シートのメモリからメモリ情報を読み取る処理を停止すると共に、前記メモリ内蔵シートから読み取った画像情報を出力することを特徴とする請求項１４記載の情報出力装置。
【請求項１６】
前記リーダ手段は、前記メモリ内蔵シートのメモリの位置を複数検出したとき、ユーザの識別子との認証のとれる前記メモリ内蔵シートのメモリの位置が１つであれば、そのメモリ内蔵シートのメモリからメモリ情報を読み取ることを特徴とする請求項９乃至１３何れか一項記載の情報出力装置。
【請求項１７】
前記リーダ手段は、前記メモリ内蔵シートの無線タグの位置を検出すると共に、前記無線タグからメモリ情報を読み取ることを特徴とする請求項９乃至１６何れか一項記載の情報出力装置。
【請求項１８】
前記メモリ内蔵シートから読み取った情報に基づく内容を印刷または電子メールで出力することを特徴とする請求項９乃至１７何れか一項記載の情報出力装置。
【請求項１９】
前記リーダ手段は、前記メモリ内蔵シートのメモリから前記画像情報の詳細情報を表したメモリ情報を読み取ることを特徴とする請求項９乃至１８何れか一項記載の情報出力装置。
【請求項２０】
メモリ内蔵シートから情報を読み取る情報読み取り方法であって、
スキャナ手段がコンタクトガラス面に置かれたメモリ内蔵シートを走査して、前記メモリ内蔵シートから画像情報を読み取ると共に、リーダ手段が前記メモリ内蔵シートのメモリの位置を検出する段階と、
検出した前記メモリ内蔵シートのメモリの位置に前記リーダ手段が停止して前記メモリ内蔵シートのメモリからメモリ情報を読み取る段階と
を有することを特徴とする情報読み取り方法。
【請求項２１】
メモリ内蔵シートから情報を読み取る情報読み取り方法であって、
原稿給紙手段から給紙されたメモリ内蔵シートをスキャナ手段が走査して、前記メモリ内蔵シートから画像情報を読み取ると共に、リーダ手段が前記メモリ内蔵シートのメモリの位置を検出する段階と、
検出した前記メモリ内蔵シートのメモリ位置に前記リーダ手段が近接するように前記原稿給紙手段が前記メモリ内蔵シートを停止して前記メモリ内蔵シートのメモリからメモリ情報を読み取る段階と
を有することを特徴とする情報読み取り方法。
【請求項２２】
メモリ内蔵シートから情報を読み取る情報読み取り方法であって、
原稿給紙手段から給紙されたメモリ内蔵シートをスキャナ手段が走査して、前記メモリ内蔵シートの表面から画像情報を読み取ると共に、リーダ手段が前記メモリ内蔵シートのメモリの位置を検出する段階と、
前記スキャナ手段が前記メモリ内蔵シートの裏面から画像情報を読み取る段階と、
検出した前記メモリ内蔵シートのメモリ位置に前記リーダ手段が近接するように前記原稿給紙手段が前記メモリ内蔵シートを停止して前記メモリ内蔵シートのメモリからメモリ情報を読み取る段階と
を有することを特徴とする情報読み取り方法。
【請求項２３】
メモリ内蔵シートから情報を読み取る情報読み取り方法であって、
原稿給紙手段から給紙されたメモリ内蔵シートをスキャナ手段が走査して、前記メモリ内蔵シートから画像情報を読み取ると共に、リーダ手段が前記メモリ内蔵シートのメモリの位置を検出する段階と、
前記メモリ内蔵シートの排紙時に前記リーダ手段が前記メモリ内蔵シートのメモリの位置に停止して前記メモリ内蔵シートのメモリからメモリ情報を読み取る段階と
を有することを特徴とする情報読み取り方法。
【発明の詳細な説明】
【技術分野】
【０００１】
本発明は、情報読み取り装置、情報出力装置および情報読み取り方法に係り、特にメモリ内蔵シートから情報を読み取る情報読み取り装置、情報読み取り方法およびメモリ内蔵シートから読み取った情報を出力する情報出力装置に関する。
【背景技術】
【０００２】
近年、固有ＩＤを持つ小さなタグを無線で認識するＲＦＩＤ（Ｒａｄｉｏ  Ｆｒｅｑｕｅｎｃｙ  Ｉｄｅｎｔｉｆｉｃａｔｉｏｎ）と呼ばれる技術が注目されている。この技術を使ったタグは、ＲＦＩＤタグ，無線タグ，ＩＣタグ等と呼ばれる。特許文献１には、ＲＦＩＤタグを原稿に付け、そのＲＦＩＤタグから読み取った情報に基づき、原稿の複写を行う複写機が記載されている。特許文献１のような従来の複写機は、ＲＦＩＤタグから情報を読み取るリーダ・ライタを、複写される原稿を押さえるカバー又は原稿フィーダの原稿受け皿に装着していた。
【特許文献１】特開２００１−１６０１１７号公報
【発明の開示】
【発明が解決しようとする課題】
【０００３】
複写される原稿を押さえるカバーにリーダ・ライタを装着した場合、リーダ・ライタは複写面に置かれた原稿全体をカバーできる電波強度が必要となる。したがって、複写機の近くにＲＦＩＤタグを付けた原稿が複数あると、リーダ・ライタは複数のＲＦＩＤタグから情報を読み取ってしまう場合があった。なお、ＲＦＩＤタグを付ける原稿上の位置を一定にして電波強度を弱くするということも考えられるが、汎用性がなくなるという問題があった。また、原稿フィーダの原稿受け皿にリーダ・ライタを装着した場合、原稿受け皿に複数枚の原稿がセットされると、リーダ・ライタは複数のＲＦＩＤタグから情報を読み取ってしまう場合があった。
【０００４】
このように、複数のＲＦＩＤタグから一度に情報を読み取ってしまうと、どの原稿のＲＦＩＤタグから読み取られた情報であるかの特定が困難という問題があった。
【０００５】
本発明は、上記の点に鑑みなされたもので、処理対象のメモリ内蔵シートのメモリからメモリ情報を正確かつ効率良く読み取ることができる情報読み取り装置、情報出力装置および情報読み取り方法を提供することを目的とする。
【課題を解決するための手段】
【０００６】
本発明は、メモリ内蔵シートから情報を読み取る情報読み取り装置であって、コンタクトガラス面に置かれたメモリ内蔵シートを走査して、前記メモリ内蔵シートから画像情報を読み取るスキャナ手段と、前記メモリ内蔵シートのメモリの位置を検出すると共に、前記メモリ内蔵シートのメモリからメモリ情報を読み取るリーダ手段とを有し、前記スキャナ手段とリーダ手段とは一体に設けられ、前記メモリ内蔵シートの１回目の走査時に前記スキャナ手段が前記メモリ内蔵シートから画像情報を読み取ると共に、前記リーダ手段が前記メモリ内蔵シートのメモリの位置を検出し、前記メモリ内蔵シートの２回目の走査時に前記リーダ手段が前記メモリ内蔵シートのメモリの位置に停止して前記メモリ内蔵シートのメモリからメモリ情報を読み取ることを特徴とする。
【０００７】
また、本発明はメモリ内蔵シートから情報を読み取る情報読み取り装置であって、セットされた１枚以上のメモリ内蔵シートを一枚ずつ給紙する原稿給紙手段と、給紙されたメモリ内蔵シートを走査して、前記メモリ内蔵シートから画像情報を読み取るスキャナ手段と、給紙されたメモリ内蔵シートのメモリの位置を検出すると共に、前記メモリ内蔵シートのメモリからメモリ情報を読み取るリーダ手段とを有し、前記メモリ内蔵シートの１回目の給紙時に前記スキャナ手段が前記メモリ内蔵シートから画像情報を読み取ると共に、前記リーダ手段が前記メモリ内蔵シートのメモリの位置を検出し、前記メモリ内蔵シートの２回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする。
【０００８】
また、本発明はメモリ内蔵シートから情報を読み取る情報読み取り装置であって、セットされた１枚以上のメモリ内蔵シートを一枚ずつ給紙する原稿給紙手段と、給紙されたメモリ内蔵シートを走査して、前記メモリ内蔵シートから画像情報を読み取るスキャナ手段と、給紙されたメモリ内蔵シートのメモリの位置を検出すると共に、前記メモリ内蔵シートのメモリからメモリ情報を読み取るリーダ手段とを有し、前記メモリ内蔵シートの１回目の給紙時に前記スキャナ手段が前記メモリ内蔵シートの表面から画像情報を読み取ると共に、前記リーダ手段が前記メモリ内蔵シートのメモリの位置を検出し、前記メモリ内蔵シートの２回目の給紙時に前記スキャナ手段が前記メモリ内蔵シートの裏面から画像情報を読み取り、前記メモリ内蔵シートの３回目の給紙時に前記リーダ手段が前記メモリ内蔵シートのメモリの位置に近接するように前記メモリ内蔵シートを停止して前記メモリ内蔵シートのメモリからメモリ情報を読み取ることを特徴とする。
【０００９】
また、本発明はメモリ内蔵シートから情報を読み取る情報読み取り装置であって、セットされた１枚以上のメモリ内蔵シートを一枚ずつ給紙する原稿給紙手段と、給紙されたメモリ内蔵シートを走査して、前記メモリ内蔵シートから画像情報を読み取るスキャナ手段と、給紙されたメモリ内蔵シートのメモリの位置を検出すると共に、前記メモリ内蔵シートのメモリからメモリ情報を読み取るリーダ手段とを有し、前記メモリ内蔵シートの給紙時に前記スキャナ手段が前記メモリ内蔵シートから画像情報を読み取ると共に、前記リーダ手段が前記メモリ内蔵シートのメモリの位置を検出し、前記メモリ内蔵シートの排紙時に前記リーダ手段が前記メモリ内蔵シートのメモリの位置に停止して前記メモリ内蔵シートのメモリからメモリ情報を読み取ることを特徴とする。なお、本発明は、情報出力装置および情報読み取り方法としてもよい。
【００１０】
本発明では、メモリ内蔵シートの１回目の走査時にスキャナ手段がメモリ内蔵シートから画像情報を読み取ると共に、リーダ手段がメモリ内蔵シートのメモリの位置を検出し、メモリ内蔵シートの２回目以降の走査時に、リーダ手段とメモリ内蔵シートのメモリとを静止状態で近接させ、メモリ内蔵シートのメモリからメモリ情報を読み取ることにより、リーダ手段の電波強度を弱くしても、メモリ内蔵シートのメモリからメモリ情報を正確かつ効率良く読み取ることができる。
【発明の効果】
【００１１】
本発明によれば、処理対象のメモリ内蔵シートのメモリからメモリ情報を正確かつ効率良く読み取ることができる情報読み取り装置、情報出力装置および情報読み取り方法を提供可能である。
【発明を実施するための最良の形態】
【００１２】
次に、本発明を実施するための最良の形態を、以下の実施例に基づき図面を参照しつつ説明していく。図１は、本発明による画像処理装置の一実施例のハードウェア構成図である。なお、画像処理装置は情報読み取り装置または情報出力装置の一例である。画像処理装置は、コントローラ１，スキャナ２，プロッタ３，原稿給紙装置４，後処理装置５，操作部６，個人認証装置７を含むように構成される。
【００１３】
コントローラ１は、スキャナ２，プロッタ３，操作部６及び個人認証装置７と接続されており、スキャナ２，プロッタ３，操作部６及び個人認証装置７を制御している。スキャナ２は原稿給紙装置４と接続されており、原稿給紙装置４を制御している。また、プロッタ３は後処理装置５と接続されており、後処理装置５を制御している。なお、スキャナ２にはＲＦＩＤリーダ／ライタが含まれる。
【００１４】
図２は、本発明による画像処理装置の一実施例のソフトウェア構成図である。画像処理装置は、コントローラ１，エンジンＩ／Ｆ４０，プロッタエンジン４１，スキャナエンジン４２，ＲＦＩＤ  Ｉ／Ｆ４３，ＲＦＩＤリーダ／ライタ４４，操作部Ｉ／Ｆ４５，操作部４６，認証装置Ｉ／Ｆ４７，認証装置４８を含むように構成される。
【００１５】
コントローラ１は、ＲＦＩＤアプリ１０，コピーアプリ１１，スキャナアプリ１２，ＦＡＸアプリ１３，プリンタアプリ１４，蓄積データアプリ１５，Ｗｅｂアプリ１６，ネットワークアプリ１７，エンジンジョブ制御部２１，ファイル制御部２２，データ転送制御部２３，通信制御部２４，認証制御部２５，ユーザデータ制御部２６，システム制御部２７，操作制御部２８，メモリリソース管理部３０，エンジンリソース管理部３１，ＵＮＩＸ（登録商標）などのＯＳ（オペレーティングシステム）３２，デバイスドライバ３３を起動する。なお、コントローラ１はネットワーク８からダウンロードされたダウンロードアプリ１８を起動することもできる。
【００１６】
コントローラ１は、エンジンＩ／Ｆ４０を介してプロッタエンジン４１及びスキャナエンジン４２を制御する。コントローラ１は、操作部Ｉ／Ｆ４５を介して操作部４６を制御する。また、コントローラ１は認証装置Ｉ／Ｆ４７を介して認証装置４８を制御する。なお、コントローラ１は新規デバイスＩ／Ｆ４９を介して新規デバイス５０を制御することもできる。スキャナエンジン４２は、ＲＦＩＤ  Ｉ／Ｆ４３を介してＲＦＩＤリーダ／ライタ４４を制御する。
【００１７】
コントローラ１は、スキャナエンジン４２及びＲＦＩＤリーダ／ライタ４４を直接または間接的に制御することで、ＲＦＩＤタグを付けた原稿（以下、単に原稿という）から画像情報を読み取ると共に、ＲＦＩＤタグからメモリ情報を読み取る。原稿は、メモリ内蔵シートの一例である。また、ＲＦＩＤタグはメモリ内蔵シートのメモリの一例である。
【００１８】
図３は、スキャナ、ＲＦＩＤリーダ／ライタ及び原稿の関係を表した図である。スキャナ２は、ＲＦＩＤリーダ／ライタ４４を制御して、原稿１００のＲＦＩＤタグ１１０からメモリ情報を読み取る一方、ＲＦＩＤタグ１１０にメモリ情報を書き込む。ＲＦＩＤタグ１１０のメモリ情報は、固有ＩＤ，メーカーＩＤ，情報バージョン，内容タイトル，アプリケーション，利用者情報，目次情報，目次ページ情報，目次サイズ情報，ＵＲＬ，画像データ等で構成される。
【００１９】
以下、原稿から画像情報を読み取ると共に、ＲＦＩＤタグからメモリ情報を読み取る処理について、原稿給紙方法や原稿読み取り方法の異なる実施例を順次説明していく。
【実施例１】
【００２０】
図４は、コンタクトガラス面に置かれた原稿から画像情報およびメモリ情報を読み取る画像処理装置の第１実施例の模式図である。図５は、コンタクトガラス面に置かれた原稿から画像情報およびメモリ情報を読み取って出力する処理の第１実施例のシーケンス図である。
【００２１】
ステップＳ１に進み、ユーザは原稿１００を画像処理装置のコンタクトガラス面１２０に置く。ステップＳ２に進み、ユーザは操作部６を操作して原稿１００のＲＦＩＤタグ１１０からメモリ情報を読み取るＲＦＩＤモードに設定する。ステップＳ３に進み、ユーザは操作部６のスタートキーを押下する。
【００２２】
ステップＳ４に進み、操作部６はコントローラ１に処理開始を指示する。ステップＳ５に進み、コントローラ１はスキャナ２に原稿後端待機モードのスキャン（走査）スタートを指示する。スキャナ２は、コントローラ１からスキャンスタートを指示されると、キャリッジ１３０を矢印１４０の方向に移動させながらスキャン動作を行う。
【００２３】
ステップＳ６に進み、コントローラ１はスキャナ２に画像転送ＯＫを通知する。ステップＳ７に進み、スキャナ２は原稿１００からスキャンした画像情報（画像データ）のコントローラ１に対する転送を開始する。コントローラ１は、スキャナ２から転送された画像情報をフレームメモリに展開する。
【００２４】
なお、キャリッジ１３０にはＲＦＩＤリーダ／ライタ４４が装着されている。ＲＦＩＤリーダ／ライタ４４は、スキャン動作によりキャリッジ１３０が矢印１４０の方向に移動するときに、原稿１００のＲＦＩＤタグ１１０の位置を検出する。ＲＦＩＤタグ１１０の位置を検出すると、ＲＦＩＤリーダ／ライタ４４はＲＦＩＤタグ１１０の位置をスキャナ２に通知する。
【００２５】
ステップＳ８に進み、スキャナ２はＲＦＩＤタグ１１０の位置をコントローラ１に通知する。また、スキャナ２は原稿１００に対するスキャン動作が終了すると、キャリッジ１３０を原稿後端位置で待機させる。ステップＳ９に進み、スキャナ２は、原稿１００からスキャンした画像情報のコントローラ１に対する転送を終了する。
【００２６】
ステップＳ１０に進み、コントローラ１はＲＦＩＤリーダ／ライタ４４がＲＦＩＤタグ１１０の位置に移動するように、スキャナ２に指示をする。スキャナ２は、キャリッジ１３０を矢印１４１の方向に移動させ、ＲＦＩＤリーダ／ライタ４４がＲＦＩＤタグ１１０と近接する位置でキャリッジ１３０を停止させる。ステップＳ１１に進み、スキャナ２はＲＦＩＤリーダ／ライタ４４がＲＦＩＤタグ１１０の位置に移動した旨をコントローラ１に通知する。
【００２７】
ステップＳ１２に進み、コントローラ１はスキャナ２に対してＲＦＩＤタグ１１０に対するリード命令を通知する。スキャナ２は、ＲＦＩＤリーダ／ライタ４４を制御してＲＦＩＤタグ１１０からメモリ情報を読み取る。ステップＳ１３に進み、スキャナ２はＲＦＩＤタグ１１０から読み取ったメモリ情報をコントローラ１に転送する。
【００２８】
ステップＳ１４に進み、コントローラ１はＲＦＩＤタグ１１０から読み取ったメモリ情報に基づく画面を操作部６に表示させる。ステップＳ１５に進み、ユーザは操作部６を操作して原稿１００から読み取った画像情報およびメモリ情報を印刷処理または転送処理するモードに設定する。ステップＳ１６に進み、ユーザは操作部６のスタートキーを再度押下する。ステップＳ１７に進み、操作部６はユーザに設定されたモードをコントローラ１に通知する。コントローラ１は、ユーザに設定されたモードに基づき、ＲＦＩＤタグ１１０から読み取ったメモリ情報をフレームメモリに展開する。
【００２９】
なお、コントローラ１はＲＦＩＤタグ１１０からメモリ情報を読み取ったあと、ステップＳ１８に進み、スキャナ２に対してキャリッジ１３０をホームポジションに戻すように指示する。スキャナ２は、キャリッジ１３０をホームポジションを戻す。ステップＳ１９に進み、スキャナ２はスキャン終了をコントローラ１に通知する。
【００３０】
ステップＳ２０に進み、コントローラ１はプロッタ３にプリント（印刷）スタートを指示する。プロッタ３は、コントローラ１からプリントスタートを指示されると、フレームメモリに展開されている画像情報およびメモリ情報に対する印刷処理を開始する。ステップＳ２０では、コントローラ１がメール転送スタートを指示することで、フレームメモリに展開されている画像情報およびメモリ情報に対するメール転送処理を開始することもできる。
【００３１】
メール転送処理が終了すると、ステップＳ２１に進み、コントローラ１はメール転送終了が通知される。また、印刷処理が終了すると、プロッタ３はステップＳ２２に進み、コントローラ１に対してプリント終了を通知する。ステップＳ２３に進み、コントローラ１はプリント終了を操作部６に通知する。ステップＳ２４に進み、ユーザはプロッタ３からの印刷出力を取得できる。
【００３２】
図６は、ＲＦＩＤリーダ／ライタの装着位置を表した模式図である。図６は、画像処理装置のコンタクトガラス面１２０を上方向から見た様子を表している。キャリッジ１３０には、矢印１４３の原稿幅方向の中央付近に、ＲＦＩＤリーダ／ライタ４４が装着されている。ＲＦＩＤリーダ／ライタ４４は、矢印１４３の原稿幅分をカバーできる必要最低限の電波強度とする。例えばＲＦＩＤリーダ／ライタ４４は、範囲１４２に含まれるＲＦＩＤタグ１１０を検出可能な必要最低限の電波強度でよい。
【００３３】
ＲＦＩＤリーダ／ライタ４４は、スキャン動作によりキャリッジ１３０が矢印１４０の方向に移動するとき、コンタクトガラス面１２０に置かれた原稿１００のＲＦＩＤタグ１１０の位置を検出する。そして、ＲＦＩＤリーダ／ライタ４４は矢印１４０の反対方向に移動するとき、ＲＦＩＤタグ１１０が近接する位置に停止して、ＲＦＩＤタグ１１０からメモリ情報を読み取る。したがって、ＲＦＩＤリーダ／ライタ４４は電波強度を弱くしても、ＲＦＩＤタグ１１０からメモリ情報を正確かつ効率良く読み取ることができる。
【００３４】
なお、本発明による画像処理装置は、ＲＦＩＤタグ１１０を検出できなかった場合や複数のＲＦＩＤタグ１１０を検出してしまった場合に備えて、図７のような手順でコンタクトガラス面１２０に置かれた原稿から画像情報およびメモリ情報を読み取っている。
【００３５】
図７は、原稿から画像情報およびメモリ情報を読み取って出力する処理の第１実施例のフローチャートである。ステップＳ３１に進み、コントローラ１はスタートキーが押下されたか否かを判定する。スタートキーが押下されなければ（Ｓ３１においてＮＯ）、コントローラ１はステップＳ３１の処理を繰り返す。スタートキーが押下されれば（Ｓ３１においてＹＥＳ）、コントローラ１は原稿１００から画像情報を読み取るステップＳ３２の処理と、原稿１００のＲＦＩＤタグ１１０の位置を検出するステップＳ３３の処理とを並行して行う。
【００３６】
ステップＳ３４に進み、コントローラ１は原稿１００に対するスキャン動作が終了したか否かを判定する。原稿１００に対するスキャン動作が終了していなければ（Ｓ３４においてＮＯ）、コントローラ１はステップＳ３２，Ｓ３３の処理を繰り返し行う。原稿１００に対するスキャン動作が終了すれば（Ｓ３４においてＹＥＳ）、コントローラ１はステップＳ３５に進み、ＲＦＩＤタグ１１０からメモリ情報を読み取るＲＦＩＤモードが設定されているか否かを判定する。
【００３７】
ＲＦＩＤモードが設定されていなければ（Ｓ３５においてＮＯ）、コントローラ１はステップＳ４８に進み、原稿１００から読み取った画像情報を印刷又は転送する通常の出力処理を行って処理を終了する。一方、ＲＦＩＤモードが設定されていれば（Ｓ３５においてＹＥＳ）、コントローラ１はステップＳ３６に進み、原稿１００のＲＦＩＤタグ１１０の位置を検出できたか否かを判定する。
【００３８】
ＲＦＩＤタグ１１０の位置を検出できなければ（Ｓ３６においてＮＯ）、コントローラ１はステップＳ４４に進み、ＲＦＩＤタグ１１０が無い旨を表すと共に、原稿１００から読み取った画像情報に対する処理を選択させる画面を操作部６に表示させる。ステップＳ４６に進み、コントローラ１は画像情報に対する処理として「取り消し」が選択されたか否かを判定する。
【００３９】
「取り消し」が選択されれば（Ｓ４６においてＹＥＳ）、コントローラ１は原稿１００から読み取った画像情報を出力することなく処理を終了する。「取り消し」が選択されなければ（Ｓ４６においてＮＯ）、コントローラ１はステップＳ４７に進み、「原稿のみ出力」が選択されたか否かを判定する。
【００４０】
「原稿のみ出力」が選択されなけば（Ｓ４７においてＮＯ）、コントローラ１はステップＳ４６の処理に戻る。即ち、コントローラ１は「取り消し」又は「原稿のみ出力」のどちらか一方が選択されるまでステップＳ４６，Ｓ４７の処理を繰り返す。「原稿のみ出力」が選択されれば（Ｓ４７においてＹＥＳ）、コントローラ１はステップＳ４８に進み、原稿１００から読み取った画像情報を出力する通常の出力処理を行って処理を終了する。
【００４１】
ＲＦＩＤタグ１１０の位置を検出できれば（Ｓ３６においてＹＥＳ）、コントローラ１はステップＳ３７に進み、ユーザの認証と合致するＲＦＩＤタグ１１０を選択するＲＦＩＤ認証処理を行う。ステップＳ３８に進み、コントローラ１は位置を検出できたＲＦＩＤタグ１１０の個数が１個であるか否かを判定する。
【００４２】
コントローラ１は位置を検出できたＲＦＩＤタグ１１０の個数が１個でなければ（Ｓ３８においてＮＯ）、ステップＳ４５に進み、ＲＦＩＤタグ１１０が複数個有る旨を表すと共に、原稿１００から読み取った画像情報に対する処理を選択させる図８のような画面１５０を操作部６に表示させたあと、前述したステップＳ４６に進む。図８は、複数のＲＦＩＤタグを検出した場合に操作部に表示する画面のイメージ図である。
【００４３】
コントローラ１は位置を検出できたＲＦＩＤタグ１１０の個数が１個であれば（Ｓ３８においてＹＥＳ）、ステップＳ３９に進み、キャリッジ１３０を矢印１４１の方向に移動させ、ＲＦＩＤリーダ／ライタ４４がＲＦＩＤタグ１１０と近接する位置でキャリッジ１３０を停止させる。
【００４４】
ステップＳ４０に進み、コントローラ１はＲＦＩＤタグ１１０からメモリ情報を読み取らせて、そのメモリ情報を転送させる。ステップＳ４１に進み、コントローラ１はＲＦＩＤタグ１１０から読み取ったメモリ情報に基づく画面を操作部６に表示させる。ステップＳ４２に進み、コントローラ１はスタートキーが押下されたか否かを判定する。スタートキーが押下されなければ（Ｓ４２においてＮＯ）、コントローラ１はステップＳ４２の処理を繰り返す。スタートキーが押下されれば（Ｓ４２においてＹＥＳ）、コントローラ１はステップＳ４３に進み、原稿１００から読み取った画像情報およびＲＦＩＤタグ１１０から読み取ったメモリ情報を印刷又は転送する出力処理を行って処理を終了する。
【００４５】
したがって、本発明による画像処理装置は、ＲＦＩＤタグ１１０を検出できなかった場合や複数のＲＦＩＤタグ１１０を検出してしまった場合に、処理の停止または原稿１００から読み取った画像情報のみの出力を選択できる。また、複数個のＲＦＩＤタグ１１０を検出した場合、ユーザの認証と合致するＲＦＩＤタグ１１０のみを選択できる。
【００４６】
なお、ＲＦＩＤタグ１１０に書き込まれているメモリ情報で指定される内容は画像化が可能である。例えばメモリ情報は、ＲＦＩＤタグ１１０、コントローラ１のＨＤＤやＲＡＭ、ＵＲＬで呼び出されるＷｅｂやサーバ内の情報を指定している。
【実施例２】
【００４７】
図９は、原稿給紙装置にセットされた原稿から片面の画像情報およびメモリ情報を読み取る画像処理装置の第２実施例の模式図である。図１０は、原稿給紙装置にセットされた原稿から片面の画像情報およびメモリ情報を読み取って出力する処理の第２実施例のシーケンス図である。なお、図９の（１）〜（７）は原稿１００が経路を移動する順序を表している。
【００４８】
ステップＳ１０１に進み、ユーザは原稿１００を原稿給紙装置４にセットする。ステップＳ１０２〜Ｓ１０４の処理は、図５のステップＳ２〜Ｓ４と同様である為、説明を省略する。ステップＳ１０５に進み、コントローラ１は２面読み取りモードの原稿給紙スタートをスキャナ２に指示する。ステップＳ１０６に進み、スキャナ２は２面読み取りモードの原稿給紙スタートを原稿給紙装置４に指示する。原稿給紙装置４は、スキャナ２から原稿給紙スタートを指示されると、原稿給紙処理を開始する。ステップＳ１０７に進み、コントローラ１はスキャナ２にスキャンスタートを指示する。
【００４９】
原稿給紙装置４は、図９（１）に表した原稿１００が、スキャン動作を行う画像位置に到達すると、ステップＳ１０８に進み、その旨をスキャナ２に通知する。ステップＳ１０９に進み、スキャナ２はスキャン動作を開始すると共に、画像位置に到達した旨をコントローラ１に通知する。
【００５０】
ステップＳ１１０に進み、コントローラ１はスキャナ２に画像転送ＯＫを通知する。ステップＳ１１１に進み、スキャナ２は移動する原稿１００からスキャンした画像情報のコントローラ１に対する転送を開始する。コントローラ１は、スキャナ２から転送された画像情報をフレームメモリに展開する。
【００５１】
なお、キャリッジ１３０にはＲＦＩＤリーダ／ライタ４４が装着されている。ＲＦＩＤリーダ／ライタ４４は、移動する原稿１００のＲＦＩＤタグ１１０の位置を検出する。ＲＦＩＤタグ１１０の位置を検出すると、ＲＦＩＤリーダ／ライタ４４はＲＦＩＤタグ１１０の位置をスキャナ２に通知する。
【００５２】
ステップＳ１１２に進み、スキャナ２はＲＦＩＤタグ１１０の位置をコントローラ１に通知する。また、スキャナ２は原稿１００に対するスキャン動作が終了すると、ステップＳ１１３に進み、原稿１００からスキャンした画像情報のコントローラ１に対する転送を終了する。
【００５３】
原稿給紙装置４は、原稿１００が図９（３）の位置に到達するとステップＳ１１４に進み、２面給紙準備ＯＫをスキャナ２に通知する。ステップＳ１１５に進み、スキャナ２は２面給紙準備ＯＫをコントローラ１に通知する。ステップＳ１１６に進み、コントローラ１は２面目給紙処理を開始する２面給紙スタートをスキャナ２に指示する。ステップＳ１１７に進み、スキャナ２は２面給紙スタートを原稿給紙装置４に指示する。
【００５４】
原稿給紙装置４は、スキャナ２から２面給紙スタートを指示されると、２面目給紙処理を開始する。原稿給紙装置４は、図９（４）の位置から図９（５）の位置を経由して画像位置に到達すると、ステップＳ１１８に進み、その旨をスキャナ２に通知する。ステップＳ１１９に進み、スキャナ２は画像位置に到達した旨をコントローラ１に通知する。
【００５５】
ステップＳ１２０に進み、コントローラ１は原稿１００のＲＦＩＤタグ１１０がＲＦＩＤリーダ／ライタ４４に近接するタイミングでスキャナ２に原稿搬送停止を指示する。ステップＳ１２１に進み、スキャナ２は原稿給紙装置４に原稿搬送停止を指示する。原稿給紙装置４は、原稿１００のＲＦＩＤタグ１１０がＲＦＩＤリーダ／ライタ４４に近接するタイミングで原稿１００の搬送を停止する。
【００５６】
ステップＳ１２２に進み、原稿給紙装置４は原稿１００の停止ＯＫをスキャナ２に通知する。ステップＳ１２３に進み、スキャナ２は原稿１００の停止ＯＫをコントローラ１に通知する。ステップＳ１２４〜Ｓ１２９の処理は、図５のステップＳ１２〜Ｓ１７と同様である為、説明を省略する。
【００５７】
ステップＳ１３０に進み、コントローラ１は原稿排紙をスキャナ２に指示する。ステップＳ１３１に進み、スキャナ２は原稿排紙を原稿給紙装置４に指示する。原稿給紙装置４は、スキャナ２から原稿排紙を指示されると、原稿排紙処理を開始する。原稿給紙装置４は、原稿１００が図９（７）の位置に到達するとステップＳ１３２に進み、原稿排紙終了をスキャナ２に通知する。なお、ステップＳ１３３〜Ｓ１３８の処理は図５のステップＳ２０〜Ｓ２４と同様である為、説明を省略する。
【００５８】
ＲＦＩＤリーダ／ライタ４４は、１回目の給紙時に原稿１００のＲＦＩＤタグ１１０の位置を検出する。そして、２回目の給紙時、ＲＦＩＤタグ１１０がＲＦＩＤリーダ／ライタ４４に近接する位置に原稿１００を停止して、ＲＦＩＤタグ１１０からメモリ情報を読み取る。したがって、ＲＦＩＤリーダ／ライタ４４は電波強度を弱くしても、ＲＦＩＤタグ１１０からメモリ情報を正確かつ効率良く読み取ることができる。
【００５９】
なお、ＲＦＩＤリーダ／ライタ４４の装着位置、ＲＦＩＤタグ１１０を検出できなかった場合や複数のＲＦＩＤタグ１１０を検出してしまった場合の処理、ＲＦＩＤタグ１１０が複数個有る旨を表すと共に、原稿１００から読み取った画像情報に対する処理を選択させる画面、ＲＦＩＤタグ１１０が無い旨を表すと共に、原稿１００から読み取った画像情報に対する処理を選択させる画面は、第１実施例と同様である為、説明を省略する。
【実施例３】
【００６０】
図１１は、原稿給紙装置にセットされた原稿から両面の画像情報およびメモリ情報を読み取る画像処理装置の第３実施例の模式図である。図１２は、原稿給紙装置にセットされた原稿から両面の画像情報およびメモリ情報を読み取って出力する処理の第３実施例のシーケンス図である。なお、図１１の（１）〜（１５）は原稿１００が経路を移動する順序を表している。
【００６１】
ステップＳ２０１〜Ｓ２１９の処理は、図１０のステップＳ１０１〜Ｓ１１９と同様である為、説明を省略する。ただし、ステップＳ２０５では、コントローラ１が３面読み取りモードの原稿給紙スタートをスキャナ２に指示する。
【００６２】
ステップＳ２２０に進み、コントローラ１はスキャナ２に画像転送ＯＫを通知する。ステップＳ２２１に進み、スキャナ２は移動する原稿１００からスキャンした画像情報のコントローラ１に対する転送を開始する。コントローラ１は、スキャナ２から転送された画像情報をフレームメモリに展開する。スキャナ２は原稿１００に対するスキャン動作が終了すると、ステップＳ２２２に進み、原稿１００からスキャンした画像情報のコントローラ１に対する転送を終了する。
【００６３】
原稿給紙装置４は、原稿１００が図１１（７）の位置に到達するとステップＳ２２３に進み、３面（１面）給紙準備ＯＫをスキャナ２に通知する。ステップＳ２２４に進み、スキャナ２は３面給紙準備ＯＫをコントローラ１に通知する。ステップＳ２２５に進み、コントローラ１は３面目給紙処理を開始する３面給紙スタートをスキャナ２に指示する。ステップＳ２２６に進み、スキャナ２は３面給紙スタートを原稿給紙装置４に指示する。
【００６４】
原稿給紙装置４は、スキャナ２から３面給紙スタートを指示されると、３面目給紙処理を開始する。原稿給紙装置４は、図１１（８）の位置から図１１（９）の位置を経由して画像位置に到達するとステップＳ１２７に進み、その旨をスキャナ２に通知する。ステップＳ２２８に進み、スキャナ２は画像位置に到達した旨をコントローラ１に通知する。ステップＳ２２９〜Ｓ２４７の処理は、図１０のステップＳ１２０〜Ｓ１３８と同様であるため、説明を省略する。
【００６５】
ＲＦＩＤリーダ／ライタ４４は、１回目の給紙時に原稿１００のＲＦＩＤタグ１１０の位置を検出する。そして、３回目の給紙時、ＲＦＩＤタグ１１０がＲＦＩＤリーダ／ライタ４４に近接する位置に原稿１００を停止して、ＲＦＩＤタグ１１０からメモリ情報を読み取る。したがって、ＲＦＩＤリーダ／ライタ４４は電波強度を弱くしても、ＲＦＩＤタグ１１０からメモリ情報を正確かつ効率良く読み取ることができる。
【００６６】
なお、ＲＦＩＤリーダ／ライタ４４の装着位置、ＲＦＩＤタグ１１０を検出できなかった場合や複数のＲＦＩＤタグ１１０を検出してしまった場合の処理、ＲＦＩＤタグ１１０が複数個有る旨を表すと共に、原稿１００から読み取った画像情報に対する処理を選択させる画面、ＲＦＩＤタグ１１０が無い旨を表すと共に、原稿１００から読み取った画像情報に対する処理を選択させる画面は、第１実施例と同様である為、説明を省略する。
【実施例４】
【００６７】
図１３は、原稿給紙装置にセットされた原稿から片面の画像情報およびメモリ情報を読み取る画像処理装置の第４実施例の模式図である。図１４は、原稿給紙装置にセットされた原稿から片面の画像情報およびメモリ情報を読み取って出力する処理の第４実施例のシーケンス図である。なお、図１３の（１）〜（４）は原稿１００が経路を移動する順序を表している。
【００６８】
ステップＳ３０１〜Ｓ３１３の処理は、図１０のステップＳ１０１〜Ｓ１１３と同様である為、説明を省略する。ただし、ステップＳ３０５では、コントローラ１が原稿読み取りモードの原稿給紙スタートをスキャナ２に指示する。
【００６９】
ステップＳ３１４に進み、コントローラ１は原稿排紙をスキャナ２に指示する。ステップＳ３１５に進み、スキャナ２は原稿排紙を原稿給紙装置４に指示する。原稿給紙装置４は、スキャナ２から原稿排紙を指示されると、原稿排紙処理を開始する。ステップＳ３１６に進み、コントローラ１はメモリリード動作の為、スキャナ２にキャリッジ１３０の移動を指示する。スキャナ２は、キャリッジ１３０を矢印１４４の方向に移動させ、ＲＦＩＤリーダ／ライタ４４がＲＦＩＤタグ１１０と近接する位置でキャリッジ１３０を停止させる。
【００７０】
原稿給紙装置４は、原稿１００が図１３（４）の位置に到達するとステップＳ３１７に進み、原稿排紙終了をスキャナ２に通知する。ステップＳ３１８に進み、スキャナ２はスキャン終了をコントローラ１に通知する。ステップＳ３１９に進み、スキャナ２は排紙された原稿１００のＲＦＩＤタグ１１０の位置にＲＦＩＤリーダ／ライタ４４が移動した旨をコントローラ１に通知する。なお、ステップＳ３２０〜Ｓ３２５の処理は、図１０のステップＳ１２４〜Ｓ１２９と同様である為、説明を省略する。
【００７１】
ステップＳ３２６に進み、コントローラ１はスキャナ２に対してＲＦＩＤタグ１１０に対するライト命令を通知する。スキャナ２は、ＲＦＩＤリーダ／ライタ４４を制御してＲＦＩＤタグ１１０にメモリ情報を書き込む。ステップＳ３２７に進み、スキャナ２はコントローラ１に対してライト終了を通知する。
【００７２】
ステップＳ３２８に進み、コントローラ１はスキャナ２に対して、キャリッジ１３０をホームポジションに戻すように指示する。スキャナ２は、キャリッジ１３０をホームポジションを戻す。ステップＳ３２９に進み、スキャナ２はキャリッジ１３０をホームポジションを戻した旨をコントローラ１に通知する。なお、ステップＳ３３０〜Ｓ３３４の処理は図１０のステップＳ１３３〜Ｓ１３８と同様である為、説明を省略する。
【００７３】
ＲＦＩＤリーダ／ライタ４４は、原稿１００の給紙時に原稿１００のＲＦＩＤタグ１１０の位置を検出する。そして、原稿１００を排紙したあと、ＲＦＩＤリーダ／ライタ４４はＲＦＩＤタグ１１０が近接する位置に停止して、ＲＦＩＤタグ１１０からメモリ情報を読み取り又はＲＦＩＤタグ１１０にメモリ情報を書き込む。したがって、ＲＦＩＤリーダ／ライタ４４は電波強度を弱くしても、ＲＦＩＤタグ１１０からメモリ情報を正確かつ効率良く読み取ることができる。
【００７４】
なお、ＲＦＩＤリーダ／ライタ４４の装着位置、ＲＦＩＤタグ１１０を検出できなかった場合や複数のＲＦＩＤタグ１１０を検出してしまった場合の処理、ＲＦＩＤタグ１１０が複数個有る旨を表すと共に、原稿１００から読み取った画像情報に対する処理を選択させる画面、ＲＦＩＤタグ１１０が無い旨を表すと共に、原稿１００から読み取った画像情報に対する処理を選択させる画面は、第１実施例と同様である為、説明を省略する。
（効果）
郵送されるハガキや封筒の中には、個人情報や機密情報が含まれることがあり、他人に盗まれても中を見られないような仕組みが必要である。そこで、紙上には個人情報等を記載せずに紙に内蔵されたＲＦＩＤタグに情報を書き込み、認証と照合しない限り中を見られない機密性を高めた仕組みを提供できる。
【００７５】
また、重要書類ではなくても、概略を記述した紙にＲＦＩＤタグを内蔵して配布し、配布された人のうち必要な人だけがＲＦＩＤタグから詳細情報を得るようにすることで、無駄な紙の消費を低減できる。
【図面の簡単な説明】
【００７６】
【図１】本発明による画像処理装置の一実施例のハードウェア構成図である。
【図２】本発明による画像処理装置の一実施例のソフトウェア構成図である。
【図３】スキャナ、ＲＦＩＤリーダ／ライタ及び原稿の関係を表した図である。
【図４】コンタクトガラス面に置かれた原稿から画像情報およびメモリ情報を読み取る画像処理装置の第１実施例の模式図である。
【図５】コンタクトガラス面に置かれた原稿から画像情報およびメモリ情報を読み取って出力する処理の第１実施例のシーケンス図である。
【図６】ＲＦＩＤリーダ／ライタの装着位置を表した模式図である。
【図７】原稿から画像情報およびメモリ情報を読み取って出力する処理の第１実施例のフローチャートである。
【図８】複数のＲＦＩＤタグを検出した場合に操作部に表示する画面のイメージ図である。
【図９】原稿給紙装置にセットされた原稿から片面の画像情報およびメモリ情報を読み取る画像処理装置の第２実施例の模式図である。
【図１０】原稿給紙装置にセットされた原稿から片面の画像情報およびメモリ情報を読み取って出力する処理の第２実施例のシーケンス図である。
【図１１】原稿給紙装置にセットされた原稿から両面の画像情報およびメモリ情報を読み取る画像処理装置の第３実施例の模式図である。
【図１２】原稿給紙装置にセットされた原稿から両面の画像情報およびメモリ情報を読み取って出力する処理の第３実施例のシーケンス図である。
【図１３】原稿給紙装置にセットされた原稿から片面の画像情報およびメモリ情報を読み取る画像処理装置の第４実施例の模式図である。
【図１４】原稿給紙装置にセットされた原稿から片面の画像情報およびメモリ情報を読み取って出力する処理の第４実施例のシーケンス図である。
【符号の説明】
【００７７】
１    コントローラ
２    スキャナ
３    プロッタ
４    原稿給紙装置
５    後処理装置
６    操作部
７    個人認証装置
４４    ＲＦＩＤリーダ／ライタ
１００    原稿
１１０    ＲＦＩＤタグ
１２０    コンタクトガラス面
１３０    キャリッジ
【図１】
2005348293.tif 000003
【図２】
2005348293.tif 000004
【図３】
2005348293.tif 000005
【図４】
2005348293.tif 000006
【図５】
2005348293.tif 000007
【図６】
2005348293.tif 000008
【図７】
2005348293.tif 000009
【図８】
2005348293.tif 000010
【図９】
2005348293.tif 000011
【図１０】
2005348293.tif 000012
【図１１】
2005348293.tif 000013
【図１２】
2005348293.tif 000014
【図１３】
2005348293.tif 000015
【図１４】
2005348293.tif 000016